(57)【要約】【課題】工事物件について、設計者が、自己の設計に折り込む製品情報（特に新製品情報）を速やかに入手して、設計活動を効率良く行え、また、設計の楽しみを広げることのできる、設計者向けマイレージ・ポイント提供システムを提供する。【解決手段】設計者Ｂの端末と製造業者Ａのサーバー１０をインターネット６０を介して接続し、サーバー１０は、製品ＣＡＤデータベース１１と、ＣＡＤデータ利用者登録手段１２と、利用者アカウント通知手段１４と、設計者端末からのＣＡＤデータ検索手段１５と、設計者端末からのマイレージ申請情報登録手段１６と、マイレージ申請情報中の工事物件情報を登録する工事物件情報登録手段１７と、マイレージ申請製品についてのマイレージ仮ポイント登録手段１８と、施工者Ｃの端末４０からの発注情報に基づき、正式獲得ポイントを登録する正式獲得ポイント登録手段１９と、正式獲得ポイント通知手段２０とを有する。【選択図】図１
2008065643.tif 000002
【特許請求の範囲】
【請求項１】
工事物件の設計者の端末と工事物件の施工に用いられる製品の製造業者のサーバーとがインターネットを介して接続され、前記設計者が前記製造業者のサーバーのホームページ上から前記製品のＣＡＤデータを端末にダウンロード可能とされ、前記製造業者が前記設計者に対し、一定条件下で、マイレージ・ポイントを提供するシステムであって、
前記製造業者のサーバーは、
前記工事物件の施工に用いられる各種の製品のＣＡＤデータ群を格納した製品ＣＡＤデータベースと、
前記設計者の端末から前記工事物件の設計に用いる特定製品のＣＡＤデータについての利用申請を受信し、当該設計者をＣＡＤデータ利用者として登録するＣＡＤデータ利用者登録手段と、
利用申請のあった設計者に対し、利用者アカウントを発行する利用者アカウント発行手段と、
利用申請のあった設計者に対し、発行された利用者アカウントを通知する利用者アカウント通知手段と、
利用者アカウントが通知された設計者の端末から特定製品のＣＡＤデータ要求を受信し、前記製品ＣＡＤデータベースから該当製品のＣＡＤデータを検索するＣＡＤデータ検索手段と、
利用者アカウントを取得した設計者の端末から、ＣＡＤデータを要求する特定製品についてのマイレージ申請を受信し、マイレージ申請情報を登録するマイレージ申請情報登録手段と、
前記マイレージ申請情報に含まれる工事物件情報を登録する工事物件情報登録手段と、
マイレージ申請が行なわれた前記特定製品について設定されたポイントを基礎とする仮獲得ポイントを登録するマイレージ仮ポイント登録手段と、
製品ＣＡＤデータベースから設計者の端末にダウンロードした特定製品のＣＡＤデータを用いて設計した工事物件について、当該工事物件の施工者の端末からのマイレージ申請に係る製品発注情報を受信し、当該製品発注情報に基づき、前記仮獲得ポイントを正式獲得ポイントに置換して登録する正式獲得ポイント登録手段と、
マイレージ申請を行った設計者に対し、特定製品についての正式獲得ポイントを通知する正式獲得ポイント通知手段と、
を有することを特徴とする設計者向けマイレージ・ポイント提供システム。
【請求項２】
前記マイレージ申請情報登録手段において、前記マイレージ申請情報には、ＣＡＤデータ利用者の登録番号、登録者名、発注者名、現場情報、製品名、数量が含まれることを特徴とする、請求項１記載の設計者向けマイレージ・ポイント提供システム。
【請求項３】
前記ＣＡＤデータベースには、各種製品毎の２次元ＣＡＤデータ、３次元立体モデルデータが含まれることを特徴とする、請求項１または請求項２記載の設計者向けマイレージ・ポイント提供システム。
【請求項４】
前記製品は、コンクリート、鋼材、ゴム、建設資材、土木資材に関する製品であることを特徴とする、請求項１ないし請求項３記載の設計者向けマイレージ・ポイント提供システム。
【請求項５】
工事物件の設計者の端末と工事物件の施工に用いられる製品の製造業者のサーバーとをインターネットを介して接続し、前記設計者が前記製造業者のサーバーのホームページ上から前記製品のＣＡＤデータを端末にダウンロード可能とし、前記製造業者が前記設計者に対し、一定条件下で、マイレージ・ポイントを提供する方法であって、
前記設計者の端末から前記工事物件の設計に用いる特定製品のＣＡＤデータについての利用申請を製造業者のサーバーが受信し、当該申請に係る設計者をＣＡＤデータ利用者として登録する第１のステップと、
製造業者のサーバーにおいて、利用申請のあった設計者に対し、利用者アカウントを発行する第２のステップと、
利用申請のあった設計者の端末に対し、発行された利用者アカウントを製造業者のサーバーから通知する第３のステップと、
利用者アカウントが通知された設計者の端末から特定製品のＣＡＤデータ要求を製造業者のサーバーが受信し、製品ＣＡＤデータベースから該当製品のＣＡＤデータを検索する第４のステップと、
利用者アカウントを取得した設計者の端末から、ＣＡＤデータを要求する特定製品についてのマイレージ申請書を製造業者のサーバーが受信し、当該マイレージ申請情報を登録する第５のステップと、
製造業者のサーバーにおいて、前記マイレージ申請情報に含まれる工事物件情報を登録する第６のステップと、
マイレージ申請が行われた前記特定製品について設定されたポイントを基礎とする仮獲得ポイントを登録する第７のステップと、
第４のステップにおいて検索した特定製品のＣＡＤデータを製造業者のサーバーから設計者の端末に送信し、ダウンロードする第８のステップと、
第８のステップにおいてダウンロードした特定製品のＣＡＤデータを用いて設計した工事物件について、当該工事物件の施工者の端末からマイレージ申請に係る特定製品の製品発注情報を受信する第９のステップと、
前記製品発注情報に基づき、前記仮獲得ポイントを正式獲得ポイントに置換して登録する第１０のステップと、
マイレージ申請を行った設計者に対し、特定製品についての正式獲得ポイントを通知する第１１のステップと、
を有することを特徴とする設計者向けマイレージ・ポイント提供方法。
【発明の詳細な説明】
【技術分野】
【０００１】
本発明は、工事物件について、設計者が、自己の設計に折り込む製品情報（特に新製品情報）を速やかに入手して、設計活動を効率良く行え、また、設計の楽しみを広げることのできる、設計者向けマイレージ・ポイント提供システムおよびマイレージ・ポイント提供方法に関するものである。
【背景技術】
【０００２】
例えば、道路、橋、河川等の工事において、発注から施工までの流れを簡単に説明すると、まず、発注元が設計事務所やコンサルティング会社に対し、工事物件の設計を依頼し、それら設計事務所等が工事物件の設計を行う。次いで、設計事務所等による設計の完了後、設計図面を発注元に提出し、発注元は設計図面を検図し、入札、契約等を通じて、一又は複数の施工業者に工事物件の施工を発注する。最後に、工事物件の施工を受注した施工者は、工事物件に用いられる製品の製造を一又は複数の製造業者に対し、入札、契約等を通じて発注する。製造者は受注した製品を納品し、施工者による施工が行われる。
【０００３】
上記設計事務所等の設計業務を支援するシステムについては、従来より、様々なシステムが提案されている（例えば、特許文献１等）。
【特許文献１】特開２００３−２０６６４１号公報
【０００４】
ところで、上記設計事務所等の設計業務を支援する活動の一つとして、製造業者による設計折り込み活動がある。この設計折り込み活動は、たとえば、工事物件について、設計者が新製品を設計図に取り入れて設計しようとする場合、設計者は新製品に関する情報（特徴点、従来製品との違い、利点など）に乏しく、そのため、新製品の製造業者の担当者が設計事務所を訪問し、設計担当者に新製品の詳しい情報を提供するものである。その結果、当該製品が設計担当者の手による設計図に折り込まれることが期待され、それによって、製造業者は、前記工事物件について、自己の製品の受注につなげることが可能となる。
【発明の開示】
【発明が解決しようとする課題】
【０００５】
しかしながら、かかる設計折り込み活動においては、以下のような問題点ないし課題があった。
（１）  製造業者は、設計折り込み活動に必要な人員や熟練担当者を配置する必要があり、その労力や費用の負担が大きい。
（２）  設計者は、試行錯誤を繰り返しながら設計や構造計算の検討・評価を行うが、設計図に折り込む製品について、製造業者の担当者との間で何度も情報交換や打ち合わせを行うのでは（特に新製品については何度も情報交換や打ち合わせを行う必要がある）、作業効率が悪く、設計活動を効率よく行えない。
（３）  製造業者が新製品を開発した場合、新製品のカタログやパンフレットを準備し、関係者を対象とした新製品の発表会（現物の説明会、展示会）を開催するが、この発表会開催に伴う費用の支出が多い。
（４）  設計折り込みに当り、製造業者に連絡なしに製品が設計される場合があり、その結果、工事発注に当り、製品の製作が間に合わず、製品の受注が不調になる場合がある。かかる事態を防ぐには、設計者からの製品折り込み情報が早い段階で製造業者にもたらされることが望ましい。
【０００６】
本発明は、前記課題に鑑みてなされたもので、その目的とするところは、設計者が、自己の設計に折り込む製品情報（特に新製品情報）を速やかに入手して、設計活動を効率良く行え、また、設計の楽しみを広げることのできる、設計者向けマイレージ・ポイント提供システムおよびマイレージ・ポイント提供方法を提供することにある。
【０００７】
また、製造業者にとって、設計折り込み活動の負担軽減を図ることを可能とする、設計者向けマイレージ・ポイント提供システムおよびマイレージ・ポイント提供方法を提供することにある。
【課題を解決するための手段】
【０００８】
上記課題を解決するために、本発明の請求項１に係る設計者向けポイント・提供システムは、
工事物件の設計者の端末と工事物件の施工に用いられる製品の製造業者のサーバーとがインターネットを介して接続され、前記設計者が前記製造業者のサーバーのホームページ上から前記製品のＣＡＤデータを端末にダウンロード可能とされ、前記製造業者が前記設計者に対し、一定条件下で、マイレージ・ポイントを提供するシステムであって、
前記製造業者のサーバーは、
前記工事物件の施工に用いられる各種の製品のＣＡＤデータ群を格納した製品ＣＡＤデータベースと、
前記設計者の端末から前記工事物件の設計に用いる特定製品のＣＡＤデータについての利用申請を受信し、当該設計者をＣＡＤデータ利用者として登録するＣＡＤデータ利用者登録手段と、
利用申請のあった設計者に対し、利用者アカウントを発行する利用者アカウント発行手段と、
利用申請のあった設計者に対し、発行された利用者アカウントを通知する利用者アカウント通知手段と、
利用者アカウントが通知された設計者の端末から特定製品のＣＡＤデータ要求を受信し、前記製品ＣＡＤデータベースから該当製品のＣＡＤデータを検索するＣＡＤデータ検索手段と、
利用者アカウントを取得した設計者の端末から、ＣＡＤデータを要求する特定製品についてのマイレージ申請を受信し、マイレージ申請情報を登録するマイレージ申請情報登録手段と、
前記マイレージ申請情報に含まれる工事物件情報を登録する工事物件情報登録手段と、
マイレージ申請が行なわれた前記特定製品について設定されたポイントを基礎とする仮獲得ポイントを登録するマイレージ仮ポイント登録手段と、
製品ＣＡＤデータベースから設計者の端末にダウンロードした特定製品のＣＡＤデータを用いて設計した工事物件について、当該工事物件の施工者の端末からのマイレージ申請に係る製品発注情報を受信し、当該製品発注情報に基づき、前記仮獲得ポイントを正式獲得ポイントに置換して登録する正式獲得ポイント登録手段と、
マイレージ申請を行った設計者に対し、特定製品についての正式獲得ポイントを通知する正式獲得ポイント通知手段と、
を有することを特徴とする。
【０００９】
設計者は、設計業務に際し、自己が設計する工事物件に用いる製品情報（ＣＡＤデータ）を、製造業者のサーバーから入手して、当該製品を折り込んだ設計活動を効率よく行える。特に新製品情報を、製造業者のサーバーから速やかに入手できることは非常に大きいメリットである。新製品について、製造業者の担当者に頼ることなく、自ら評価・検討し、設計業務を効率よく行える。さらに、正式獲得ポイントの通知を受けることで、獲得ポイント数に応じて、製造業者側が用意した商品と交換したり、マイレージ・ポイントを蓄積して、さらなる商品交換やサービス提供を受けることが可能であり、設計の楽しみが広がるメリットがある。
【００１０】
一方、製造業者にとっては、設計折り込み活動の負担軽減が図られ、また、設計者からのマイレージ申請を通して、マイレージ申請情報に含まれる工事物件情報（現場名、製品名、数量等）について、製品の正式受注前に、設計者から提供を受けられる。これによって、製造業者側で、製品受注に向けた準備、製品製作計画を早い段階で立てることが可能である。また、工事物件情報を得た時点で製品の見込み生産に着手することが可能となり、工事発注時の製品在庫不足を解消することが可能である。そして、両方の相乗効果、すなわち、製品の見込み生産着手と、同製品の設計折り込みに対する優位性が組み合わさって、工事物件に対する製品受注率がより高まる。
【００１１】
本発明の請求項２に係る設計者向けマイレージ・ポイント提供システムは、前記マイレージ申請情報登録手段において、前記マイレージ申請情報に、ＣＡＤデータ利用者の登録番号、登録者名、発注者名、現場情報、製品名、数量が含まれることを特徴とする。
【００１２】
本発明の請求項３に係る設計者向けマイレージ・ポイント提供システムは、前記製品ＣＡＤデータベースに、各種製品毎の２次元ＣＡＤデータ、３次元立体モデルデータが含まれることを特徴とする。
【００１３】
設計者が、自分の時間や都合に合わせて、製品の２次元ＣＡＤデータを自由にダウンロードし、工事物件について自由に設計できる。また、設計者が、製品の３次元立体モデルデータをダウンロードして、仮想空間で新製品の発表会をバーチャルで体験することができ、これに製品カタログや積算資料や構造計算資料と組み合わせることで、仮想空間で新製品を多面的に評価・検討できる。一方、製造業者は、ウェブ上で新製品発表会を自由に開催し、現物による新製品発表会に代えることができる。
【００１４】
本発明の請求項４に係る設計者向けマイレージ・ポイント提供システムは、前記製品がコンクリート、セメント、ゴム、建設資材、土木資材に関する製品であることを特徴とする。
【００１５】
本発明の請求項５に係る設計者向けマイレージ・ポイント提供方法は、
工事物件の設計者の端末と工事物件の施工に用いられる製品の製造業者のサーバーとをインターネットを介して接続し、前記設計者が前記製造業者のサーバーのホームページ上から前記製品のＣＡＤデータを端末にダウンロード可能とし、前記製造業者が前記設計者に対し、一定条件下で、マイレージ・ポイントを提供する方法であって、
前記設計者の端末から前記工事物件の設計に用いる特定製品のＣＡＤデータについての利用申請を製造業者のサーバーが受信し、当該申請に係る設計者をＣＡＤデータ利用者として登録する第１のステップと、
製造業者のサーバーにおいて、利用申請のあった設計者に対し、利用者アカウントを発行する第２のステップと、
利用申請のあった設計者の端末に対し、発行された利用者アカウントを製造業者のサーバーから通知する第３のステップと、
利用者アカウントが通知された設計者の端末から特定製品のＣＡＤデータ要求を製造業者のサーバーが受信し、製品ＣＡＤデータベースから該当製品のＣＡＤデータを検索する第４のステップと、
利用者アカウントを取得した設計者の端末から、ＣＡＤデータを要求する特定製品についてのマイレージ申請書を製造業者のサーバーが受信し、当該マイレージ申請情報を登録する第５のステップと、
製造業者のサーバーにおいて、前記マイレージ申請情報に含まれる工事物件情報を登録する第６のステップと、
マイレージ申請が行われた前記特定製品について設定されたポイントを基礎とする仮獲得ポイントを登録する第７のステップと、
第４のステップにおいて検索した特定製品のＣＡＤデータを製造業者のサーバーから設計者の端末に送信し、ダウンロードする第８のステップと、
第８のステップにおいてダウンロードした特定製品のＣＡＤデータを用いて設計した工事物件について、当該工事物件の施工者の端末からマイレージ申請に係る特定製品の製品発注情報を受信する第９のステップと、
前記製品発注情報に基づき、前記仮獲得ポイントを正式獲得ポイントに置換して登録する第１０のステップと、
マイレージ申請を行った設計者に対し、特定製品についての正式獲得ポイントを通知する第１１のステップと、
を有することを特徴とする。
【発明の効果】
【００１６】
以上説明したように、本発明に係る設計者向けマイレージ・ポイント提供システムによると、設計者にとって、自己の設計に折り込む製品情報（特に新製品情報）を製造業者のサーバーから速やかに入手して、設計活動を効率良く行え、また、設計の楽しみが広がるという効果を奏する。
【００１７】
一方、製造業者にとって、設計折り込み活動に伴う負担の削減が図られ、また、設計者からマイレージ申請を通じて工事物件に用いられる製品情報を早期に入手し、これにより製品の見込み生産に着手し、自己製品の設計折り込みに対する優位性と合わせて製品の受注率向上を期待できる効果を奏する。
【発明を実施するための最良の形態】
【００１８】
以下、本発明の実施の形態を図面を参照して説明する。
【００１９】
図１は、本発明に係る設計者向けマイレージ・ポイント提供システムの構成例を示している。図１に示すように、工事物件の関係者、すなわち、製造業者Ａのサーバー１０と設計者Ｂの端末３０の間、製造業者Ａのサーバー１０と施工者Ｃの端末４０の間、製造業者Ａのサーバー１０と発注者Ｄの端末５０の間は、それぞれインターネット６０を介して接続されている。また、設計者Ｂの端末３０と発注者Ｄの端末５０の間、発注者Ｄの端末５０と施工者Ｃの端末４０の間、施工者Ｃの端末４０と製造業者Ａのサーバー１０の間は、それぞれ通信回線６１で直接接続されている。
【００２０】
製造業者Ａのサーバー１０は、製品ＣＡＤデータベース１１を備えるとともに、ＣＡＤデータ利用者登録手段１２と、利用者アカウント発行手段１３と、利用者アカウント通知手段１４と、ＣＡＤデータ検索手段１５と、マイレージ申請情報登録手段１６と、工事物件情報登録手段１７と、マイレージ仮ポイント登録手段１８と、正式獲得ポイント登録手段１９と、正式獲得ポイント通知手段２０とを有する構成とされている。
【００２１】
また、製造業者Ａのサーバー１０は、ホームページ２１を有し、インターネット６０を介して外部端末（上記端末３０等）との間で情報の送受信を行うウェブサーバー２２と、通信メールを格納するメールサーバー２３とを備えている。
【００２２】
製品ＣＡＤデータベース１１は、工事物件に用いられる各種コンクリート製品毎のＣＡＤデータを格納したもので、製品毎に二次元ＣＡＤデータ、三次元立体モデルデータが含まれる。二次元ＣＡＤデータには、製品のＣＡＤ図面（６面図、製品施工状態図等）、部品のＣＡＤ図面（６面図、部品の使用状態図等）が含まれる。また、三次元立体モデルデータには、製品の三次元立体モデルの外観ＣＧ、ワイヤーフレーム図等が含まれる。
【００２３】
これらの三次元立体モデルデータは、設計者Ｂの端末３０からホームページ２１上で、あるいは端末３０にダウンロードして、製品の角度を自由に変えて見ることが可能である。これにより、新製品の三次元立体モデルデータを、様々な角度から検討することが可能である。なお、新製品に関する積算資料、構造計算資料等のデータは、上記の製品ＣＡＤデータベース１１に含まれ、新製品カタログ（例えばＰＤＦ化されたもの）は別の保存データベースに格納される。
【００２４】
ＣＡＤデータ利用者手段１２は、工事物件の設計を行う前記設計者Ｂの端末３０から同工事物件の設計に用いる製品のＣＡＤデータについての利用申請を受信し、当該設計者ＢをＣＡＤデータ利用者としてＣＡＤデータ利用者登録データベース２４に登録する手段である。ＣＡＤ利用者登録データベース２４に登録される情報には、会社名、担当者名、住所、電話番号、ファクス番号、電子メールアドレス、利用者アカウント情報（利用者ＩＤ番号、パスワード）等が含まれる。
【００２５】
利用者アカウント発行手段１３は、ＣＡＤデータについて利用申請のあった設計者Ｂに対し、利用者アカウント（利用者ＩＤ番号、パスワード）を発行する手段である。また、利用者アカウント通知手段１４は、同設計者Ｂに対し、発行された利用者アカウントを通知する手段であり、当該手段には、メールサーバー２３を利用してメールで通知する手段等がある。
【００２６】
ＣＡＤデータ検索手段１５は、利用者アカウントが通知された設計者Ｂの端末３０から、ウェブサーバー２２のホームページ２１を通じて、工事物件の設計に利用する製品のＣＡＤデータ要求を受信し、前記製品ＣＡＤデータベース１１から該当する製品のＣＡＤデータを検索する手段である。検索されたＣＡＤデータは、ウェブサーバー２２からインターネット６０を介して設計者Ｂの端末３０に送信され、設計者Ｂの操作により、ダウンロードされる。
【００２７】
マイレージ申請情報登録手段１６は、利用者アカウントを取得した設計者Ｂの端末３０から、工事物件の設計に利用するＣＡＤデータを要求する製品についてのマイレージ申請情報（図２参照）を受信し、受信したマイレージ申請情報を、マイレージ申請情報登録データベース２５に登録する手段である。ここで、マイレージ申請情報には、図２に示すように、マイレージアカウント（マイレージ申請に当り、事前にアカウントを取得する）、会社名、担当者名、工事物件の発注者名、現場名、現場所在地、現場名、工事発注時期、本工事物件についてＣＡＤデータを設計に利用する製品明細（製品名、規格、設計数量）が含まれる。
【００２８】
工事物件情報登録手段１７は、マイレージ申請情報に含まれる工事物件情報を、工事物件情報登録データベース２６に登録する手段である。ここで、工事物件情報には、発注者名、現場名、現場所在地、工事発注時期、製品明細（製品名、規格、設計数量）が含まれる。
【００２９】
マイレージ仮ポイント登録手段１８は、マイレージ申請の対象製品について設定されたポイントを基礎とする仮獲得ポイントをマイレージポイント登録データベース２７に登録する手段である。図２に示すように、製品毎に設定されたポイント（１本当り）に設計数量を掛けた数字が仮獲得ポイント（獲得マイル）となる。
【００３０】
正式獲得ポイント登録手段１９は、製品ＣＡＤデータベース１１から設計者Ｂの端末３０にダウンロードした製品のＣＡＤデータを用いて設計した工事物件について、当該工事物件を発注者Ｄから受注した施工者Ｃが端末４０から、マイレージ申請に係る製品数量の発注情報を、通信回線６１を通じて製造業者Ａのウェブサーバー２２に送信し、製造業者Ａのウェブサーバー２２が、受信した製品数量の発注情報を、登録済みのマイレージ申請情報と照合を行い、一致する場合に、前記仮獲得ポイントを正式獲得ポイントに置換して、マイレージポイント登録データベース２６に登録する手段である。
【００３１】
上記の照合は、製品明細（製品名、規格、数量）について行うが、マイレージ申請時の製品数量と受注時の製品数量とが異なる場合には、受注時の製品数量に合わせて正式獲得ポイントを修正してよい。また、修正せずにマイレージ申請時の製品数量に従って正式獲得ポイントを確定させてもよい。さらに、マイレージ申請時に獲得した仮獲得ポイントに、受注時の製品数量に応じたボーナスポイントを加算し、その合計ポイントを正式獲得ポイントとしてもよい。
【００３２】
正式獲得ポイント通知手段２０は、マイレージ申請を行った設計者Ｂの端末３０に対し、マイレージ申請に係る製品数量について獲得した正式獲得ポイントを通知する手段である。当該手段には、メールサーバー２３を利用してメールで通知する手段や、ファクスで通知する手段が含まれる。
【００３３】
次に、上記構成の設計者向けマイレージ・ポイント提供システムを用いて、設計者Ｂにマイレージ・ポイントを提供する方法について、図１ないし図５を参照して説明する。
【００３４】
まず、設計者Ｂの端末３０から、インターネット６０を介して、製造業者Ａの製品ＣＡＤデータベースのＣＡＤデータについての利用申請書が、製造業者Ａのウェブサーバー２２に送信されると、製造業者Ａのウェブサーバー２２は、受信した利用申請書に基づき、当該利用申請のあった設計者に関する情報（会社名、設計担当者名、住所、連絡先等）を、ＣＡＤデータ利用者としてＣＡＤデータ利用者データベース２４に登録する（ステップＳ１）。
【００３５】
次に、製造業者Ａのウェブサーバー２２は、利用申請のあった設計者Ｂに対し、利用者アカウント（ＩＤ番号、パスワード）を発行し（ステップＳ２）、利用申請のあった設計者Ｂの端末３０に対し、発行した利用者アカウントを、製造業者Ａのメールサーバー２３から、メールによって通知する（ステップＳ３）。
【００３６】
次に、発注者Ｄから工事物件の設計依頼を受けた設計者Ｂの端末３０から、同工事物件の設計に用いる上記製品のＣＡＤデータ要求が製造業者Ａのウェブサーバー２２に送信されると、製造業者のウェブサーバー２２は、受信したＣＡＤデータ要求に該当する新製品のＣＡＤデータを、製品ＣＡＤデータベース１１にアクセスして、検索し（ステップＳ４）、該当する製品のＣＡＤデータ（２次元データ）を、前記設計者Ｂの端末３０に送信する。製品のＣＡＤデータを受信した設計者Ｂは、同製品のＣＡＤデータを端末３０の画面に表示し、ダウンロードし、設計に用いることが可能である。
【００３７】
なお、設計者Ｂが設計に折り込もうとする製品が新製品である場合、製品ＣＡＤデータベース１１に格納された当該新製品の三次元立体モデル（ＣＧ）を製造業者Ａのウェブサーバー２２のホームページ２１上から端末３０の画面上に表示させ、あるいは端末３０にダウンロードして、手元の操作で当該新製品の三次元立体モデルを任意の角度に動かし、新製品の詳細な外観を把握できる。また、新製品のカタログ、積算資料、構造計算資料等を、ダウンロードして、同新製品の評価・検討を行える。これにより、設計者Ｂは、製造業者Ａの担当者と詳細な打合せをしたり、情報交換をすることなく、新製品の設計折込が可能である。また、設計折り込み活動に伴う製造業者Ａ側の負担も削減される。
【００３８】
上記と並行して、設計者Ｂの端末３０から、ＣＡＤデータを要求する（または要求した）製品についてのマイレージ申請情報が製造業者Ａのウェブサーバー２２に送信されると、製造業者Ａのウェブサーバー２２は、マイレージ申請情報をマイレージ申請情報登録データベース２５に登録し（ステップＳ５）、マイレージ申請情報に含まれる工事物件情報を工事物件情報登録データベース２６に登録し（ステップＳ６）、マイレージ申請のあった新製品について設定されたポイントを基礎とする仮獲得ポイントを、マイレージポイント登録データベース２７に登録する（ステップＳ７）。
【００３９】
図２は、設計者Ｂの端末３０におけるマイレージ申請画面を示している。マイレージ申請画面には、申請者である設計者Ｂが当該工事物件について申告するマイレージ申請情報を入力する。入力する情報には、マイレージアカウント、会社名、担当者名、工事物件の発注者名、現場名、現場所在地、工事発注時期、マイレージ申請を行う製品明細（製品名、規格、設計数量）が含まれる。発注者名、現場名、現場所在地は必須項目とされる。製品明細は、例えば、図２において、製品名[ＡＡ  ＸＸ用]の規格[３００×３００×１０００]について、設計数量[１００]本、製品名[ＡＡ  ＹＹ用]の規格[３００×３００×２０００]について、設計数量[２０]本、製品名[ＢＢ  ＺＺ用]の規格[４００×４００×１０００]について、設計数量[１０]本、とそれぞれ入力する。
【００４０】
上記各設計数量に従い、設計者Ｂが獲得する仮獲得ポイント数は、それぞれ５００ポイント、２００ポイント、７０ポイントであり、それぞれマイレージ申請画面に自動表示される。設計者Ｂが入力内容、表示内容を確認し、送信ボタンをクリックすると、マイレージ申請情報が、製造業者Ａのウェブサーバー２２に送信され、マイレージ申請情報登録データベース２５に登録される。マイレージ申請情報が受理されると、メールサーバー２３から受理通知が設計者Ｂの端末３０に自動送信される。
【００４１】
なお、マイレージ申請情報に変更がある場合には、設計者Ｂは、端末３０から変更後のマイレージ申請情報を製造業者Ａのウェブサーバー２２に送信でき、製造業者Ａのサーバー１０は、受信した変更後のマイレージ申請情報をマイレージ申請情報登録データベース２５に更新登録する。更新後のマイレージ申請情報が受理されると、メールサーバー２３から受理通知が設計者Ｂの端末３０に自動送信される。
【００４２】
次に、上記各製品のＣＡＤデータを端末３０にダウンロードした設計者Ｂが、同ＣＡＤデータを用いて工事物件の設計図面を完成させ、同設計図面情報を工事物件の発注者Ｄの端末６０に対し通信回線６１を通じて（又はインターネット６０を介して）提出する。
【００４３】
次に、発注者Ｄにおいて、受信した設計図面情報を検査し、同設計図面情報に基づく工事物件の施工について、端末６０から、施工者Ｃの端末４０に対し通信回線６１を通じて（又はインターネット６０を介して）工事物件の施工に用いる製品の発注情報を送信する。図４に施工者Ｃの端末４０から、製造業者Ｂのウェブサーバー２２に送信される製品発注情報の一例（注文書）を示す。
【００４４】
同施工者Ｃの端末４０から、マイレージ申請に係る製品発注情報（製品名[ＡＡ  ＸＸ用]の規格[３００×３００×１０００]について発注数量１００本、製品名[ＡＡ  ＸＸ用]の規格[３００×３００×２０００]について発注数量２０本、製品名[ＢＢ  ＺＺ用]の規格[４００×４００×１０００]について発注数量１０本）を、製造業者Ｂのウェブサーバー２２が受信したら（ステップＳ８）、製造業者Ｂのウェブサーバー２２は、前記製品発注情報に基づき、前記仮ポイントを正式獲得ポイントに置換して、マイレージポイント登録データベース２７に正式獲得ポイントを登録する（ステップＳ９）。
【００４５】
次に、マイレージ申請を行った設計者Ｂの端末３０に対し、前記正式獲得ポイントを製造業者Ａのメールサーバー２３から通知する（ステップＳ１０）。正式獲得ポイントの通知を受けた設計者Ｂは、獲得ポイント数に応じて、製造業者側が用意した商品と交換したり、マイレージ・ポイントを蓄積して、さらなる商品交換やサービス提供を受けることが可能である。図５に設計者Ｂが端末３０から、製造業者Ｂのウェブサーバー２２に送信するマイレージ・ポイントと商品の交換の申請画面を示す。
【００４６】
前記実施形態のマイレージ・ポイント提供システムによると、次のような効果を期待できる。
（１）  設計者は、製品情報（特に新製品情報）を速やかに入手して、設計に折り込む製品（特に新製品）について自ら評価・検討することができ、設計活動を効率よく行える。
（２）  製造業者は、設計者からマイレージ申請書を通じて、工事物件情報の提供を受けることができ、製品の正式受注前に、自己の製品の見込み生産を開始することが可能で、製品の受注にあたり、製品の在庫不足が生じるという事態を解消できる。
（３）  製造業者の、設計者に対する設計折り込み活動の負担を削減できる。
【００４７】
なお、前記実施形態では、設計者Ｂが製品のＣＡＤデータをダウンロードし、同製品を折り込んだ設計図面を自ら作成するようにしているが、当該設計図面のうち、製品ＣＡＤデータの付帯図面を製造業者Ａ側で作成し、設計者Ｂの端末３０に送信するようにしてもよい。その場合、設計者Ｂに付与される仮獲得ポイントについては、製造業者Ａによる作成図面に相当する分のポイントを減らすようにしてもよい。
【００４８】
また、設計者Ｂが製品の折り込みを検討するに当り、端末３０から製造業者Ａのウェブサーバー２２に送信された現場写真（デジタル写真）に製造業者Ａが製品の３次元立体モデルデータ（ＣＧ）を貼り付けて、施工された状態のイメージ図を作成し、これを返信するようにしたり、あるいは、製造業者Ａのウェブサーバー２２に製品毎の構造計算手段を加え、設計者Ｂの端末３０からホームページ２１上で数値を入力して、製品の構造計算を行うようにしてもよい。
【産業上の利用可能性】
【００４９】
本発明に係る設計者向けマイレージ・ポイント提供システムは、工事物件について、設計者が、自己の設計に折り込む製品情報（特に新製品情報）を速やかに入手して、設計活動を効率良く行え、また、設計の楽しみを広げることのできるシステムとして、利用可能である。
【図面の簡単な説明】
【００５０】
【図１】本発明に係る設計者向けマイレージ・ポイント提供システムを示す全体図、
【図２】マイレージ申請画面を示す図である。
【図３】本発明に係る設計者向けマイレージ・ポイント提供システムを用いて、マイレージ・ポイントを提供する手順を、工事物件の手順とともに示す図である。
【図４】施工者から製造業者に対する製品発注情報の一例を示す図である。
【図５】マイレージポイントと商品の交換申請画面を示す図である。
【符号の説明】
【００５１】
１０  製造業者のサーバー
１１  製品ＣＡＤデータベース
１２  ＣＡＤデータ利用者登録手段
１３  利用者アカウント発行手段
１４  利用者アカウント通知手段
１５  ＣＡＤデータ検索手段
１６  マイレージ申請情報登録手段
１７  工事物件情報登録手段
１８  マイレージ仮ポイント登録手段
１９  正式獲得ポイント登録手段
２０  正式獲得ポイント通知手段
２１  ホームページ
２２  ウェブサーバー
２３  メールサーバー
２４  ＣＡＤデータ利用者登録データベース
２５  マイレージ申請情報登録データベース
２６  工事物件情報登録データベース
２７  マイレージポイント登録データベース
３０  設計者の端末
４０  施工者の端末
５０  発注者の端末
６０  インターネット
６１  通信回線
Ａ  製造業者
Ｂ  設計者
Ｃ  施工者
Ｄ  発注者
【図１】
2008065643.tif 000003
【図２】
2008065643.tif 000004
【図３】
2008065643.tif 000005
【図４】
2008065643.tif 000006
【図５】
2008065643.tif 000007